(57)【要約】【課題】  制御対象毎に信号線を設けなくとも、光源の各種制御を可能とする。【解決手段】  制御部１は、光源制御信号Ｓ１を生成し、この光源制御信号Ｓ１を光源駆動部３へ出力する。光源駆動部３は、この光源制御信号Ｓ１が入力されると、光源２を駆動するための駆動信号Ｓ３を生成し、光源制御信号Ｓ１が入力されない場合には、駆動信号Ｓ３の生成を行わない。また、光源駆動部３は、駆動信号Ｓ３を生成している間に、光源制御信号Ｓ１が入力されると、駆動信号Ｓ３の生成をリスタートする。また、光源駆動部３は、光源制御信号Ｓ１の周波数が高である場合には、光源２の照度が低となるように駆動信号Ｓ３を生成し、周波数が低である場合には、照度が低となるように駆動信号Ｓ３を生成する。【選択図】        図２
2005176110.tif 000002
【特許請求の範囲】
【請求項１】
原稿に光を照射する光源と、
所定の周期を持つ制御信号を出力する制御手段と、
前記制御信号の周期を切替える周期切替手段と、
前記制御信号が入力されると、前記光源の点灯を開始すると共に、前記制御信号の周期に基づいて前記光源の照度を制御する光源制御手段と、
前記光源からの光の照射によって生ずる、前記原稿からの反射光を電気信号に変換して読取る読取り手段と
を有する画像読取装置。
【請求項２】
前記制御手段は、前記読取り手段が前記反射光を電気信号に変換する露光周期と、前記光源制御手段により前記光源が発振する点灯周期とが同期するように、光源制御信号と読取制御信号とを生成して出力し、
前記読取り手段は、前記読取制御信号に応じて前記原稿からの反射光を電気信号に変換すること
を特徴とする請求項１に記載の画像読取装置。
【請求項３】
前記読取制御信号の周期を可変する読取周期可変手段を有することを特徴とする請求項２に記載の画像読取装置。
【請求項４】
原稿に光を照射する光源と、
前記光源を点灯させるための点灯制御信号と、所定の周期を持つ制御信号を出力する制御手段と、
前記制御信号の周期を切替える周期切替手段と、
前記点灯制御信号が入力されると前記光源の点灯を開始すると共に、前記制御信号が入力されると、該制御信号の周期に基づいて前記光源の照度と、前記光源の点灯タイミングを制御する光源制御手段と、
前記光源からの光の照射によって生ずる、前記原稿からの反射光を電気信号に変換して読取る読取り手段と
を有する画像読取装置。
【発明の詳細な説明】
【技術分野】
【０００１】
本発明は、原稿を光学的に読み取る画像読取装置に関する。
【背景技術】
【０００２】
例えば、複写機やイメージスキャナのように原稿を光学的に読取る画像読取装置においては、照明ランプによって得られる原稿からの反射光を、ＣＣＤ（Charge Coupled Device）等の固体撮像素子により電気信号に変換して、原稿を読取るようになっている。
通常、この種の画像読取装置においては、インバータ回路を制御して照明ランプの駆動が行われているが、近年、原稿を読取る際に画質を向上させるため、照明ランプの点灯／消灯だけでなく、ランプを点灯／消灯させる周期を制御したり（例えば、特許文献１参照）、ランプの照度を制御すること（例えば、特許文献２参照）が行われている。
【特許文献１】特開２０００−４３３２号公報
【特許文献２】特開平９−２５２３８３号公報
【発明の開示】
【発明が解決しようとする課題】
【０００３】
ところで、画質を向上させるために制御対象が増えると、それに伴い、インバータ回路を制御するための信号数が増えることとなる。このように信号数が増えると、信号毎に回路パターンを設ける必要が生じ、基板サイズが大きくなり、製造コストが増加してしまうという不具合が生じてしまう。
【０００４】
本発明は、上述した背景の下になされたものであり、制御対象毎に信号線を設けなくとも、光源の各種制御を可能とする技術を提供することを目的とする。
【課題を解決するための手段】
【０００５】
上述した課題を解決するために本発明は、原稿に光を照射する光源と、所定の周期を持つ制御信号を出力する制御手段と、前記制御信号の周期を切替える周期切替手段と、前記制御信号が入力されると、前記光源の点灯を開始すると共に、前記制御信号の周期に基づいて前記光源の照度を制御する光源制御手段と、前記光源からの光の照射によって生ずる、前記原稿からの反射光を電気信号に変換して読取る読取り手段とを有する画像読取装置
を提供する。
この画像読取装置において、光源を制御する光源制御手段は、制御信号の入力に応じて前記光源の点灯を始めると共に、前記制御信号の周期に基づいて前記光源の照度を制御する。一つの制御信号で光源の点灯と光源の照度の制御を行うことができるため、回路パターンの面積が小となると共に基板サイズが小となり、製造コストを抑えることが可能となる。
また本発明は、原稿に光を照射する光源と、前記光源を点灯させるための点灯制御信号と、所定の周期を持つ制御信号を出力する制御手段と、前記制御信号の周期を切替える周期切替手段と、前記点灯制御信号が入力されると前記光源の点灯を開始すると共に、前記制御信号が入力されると、該制御信号の周期に基づいて前記光源の照度と、前記光源の点灯タイミングを制御する光源制御手段と、前記光源からの光の照射によって生ずる、前記原稿からの反射光を電気信号に変換して読取る読取り手段とを有する画像読取装置を提供する。
この画像読取装置において、光源を制御する光源制御手段は、点灯制御信号の入力に応じて前記光源の点灯を始めると共に、制御信号の周期に基づいて前記光源の照度と、前記光源の点灯タイミングを制御する。一つの制御信号で光源の照度と点灯タイミングの制御を行うことができるため、回路パターンの面積が小となると共に基板サイズが小となり、製造コストを抑えることが可能となる。
【発明の効果】
【０００６】
本発明によれば、制御対象毎に信号線を設けなくとも、光源の各種制御が可能となる。
【発明を実施するための最良の形態】
【０００７】
以下、図面を参照して本発明の実施形態について説明する。
［Ａ．第１実施形態］
図１は、本実施形態に係わる画像読取装置の概略図である。画像読取装置は、原稿搬送部１０の搬送路１４上にあるフィードローラ１３を回転させることにより、原稿トレイ１１に載置された原稿１２を、プラテンガラス４上の読取位置１５に一枚ずつ搬送する。画像読取装置は、読取位置１５に搬送された原稿１２に、例えば蛍光灯である光源２が発する光を照射し、原稿１２で反射した光をミラー５Ａ〜ミラー５Ｃによりレンズ６に導く。  原稿１２の画像は、このレンズ６により結像され、画像読取部７が具備する光電変換素子７Ａにより読取られる。画像読取装置は、読取りが終了すると、フィードローラ１３を用いて、原稿１２を原稿排出トレイ１６へと移動させる。
【０００８】
図２は、この画像読取装置のうち、画像の読取りに係わる要部のハードウェア構成を示すブロック図である。操作部１７は、画像読取装置を操作するための複数のキーを有している。この操作部１７は、押下された際に、原稿１２を白黒で読取る指示を制御部１へ出力するキーと、押下された際に、原稿１２をカラーで読取る指示を制御部１へ出力するキーとを備えている。
【０００９】
制御部１は、画像読取装置の各部を制御するものであり、ＣＰＵ（Central Processing Unit）、ＲＯＭ（Read Only Memory）およびＲＡＭ（Random Access Memory）などを具備している。電源が投入されると、ＣＰＵはＲＯＭから制御プログラムを読み出し、ＲＡＭを作業エリアとして起動し、画像読取装置の各部の制御を行う。
【００１０】
制御プログラムが起動された後、操作部１７からカラーもしくは白黒で原稿１２を読取る指示が入力されると、制御部１は、光源制御信号Ｓ１と読取制御信号Ｓ２とを生成する。読取制御信号Ｓ２は、光電変換素子７Ａがレンズ６により結像された像を読取るタイミングを制御するための信号であり、画像読取部７へ出力される。読取制御信号Ｓ２は、図３に示したようなパルスであり、画像読取部７の主走査方向に読取り期間に、Ｈレベルとなる。光源制御信号Ｓ１は、光源２の点灯／消灯、光源２の照度、光源２の点灯タイミング等を制御するための信号であり、光源駆動部３へ出力される。光源制御信号Ｓ１は、図３に示したようなパルスであり、パルス幅は２〜４μｓｅｃとなっている。また、光源制御信号Ｓ１の繰り返し周期は、操作部１７から原稿を白黒で読取る指示が入力された場合には１０［ｋＨｚ］となり、カラーで読取る指示が入力された場合には５［ｋＨｚ］となる。なお、図３に示すように、光源制御信号Ｓ１は、その立ち下がりが読取制御信号Ｓ２の立ち下がりと立上がりとに同期している。
【００１１】
画像読取部７は、読取制御信号Ｓ２が入力されると、光電変換素子７Ａを制御し、レンズ６により結像された像の読取りを行う。具体的には、読取制御信号Ｓ２の立上がりで読取りを開始し、立ち下がりで読取りを終了する。
【００１２】
光源駆動部３は、光源２を点灯させるためのインバータ回路を有している。光源駆動部３は、光源制御信号Ｓ１が入力されると、図４に示したように、光源２を点灯させるための駆動信号Ｓ３を生成する。なお、光源駆動部３は、光源制御信号Ｓ１が入力されない場合には、図４に示したように、駆動信号Ｓ３の生成を行わない。したがって、この場合には、光源２は消灯する。また、光源駆動部３は、駆動信号Ｓ３を生成している間に、光源制御信号Ｓ１が入力されると、図４に示したように、駆動信号Ｓ３の生成をリスタートする。また、光源駆動部３は、光源制御信号Ｓ１の周波数が１０［ｋＨｚ］である場合には、光源２の照度が低となるように駆動信号Ｓ３を生成し、周波数が５［ｋＨｚ］である場合には、照度が高となるように駆動信号Ｓ３を生成する。
【００１３】
［第１実施形態の動作］
次に、本実施形態の動作について説明する。画像読取装置の使用者が原稿１２を原稿トレイ１１に載置した後、例えば、操作部１７に設けられている、原稿１２を白黒で読取る指示を制御部１へ出力するキーを押下すると、原稿１２を白黒で読取る指示が操作部１７から出力される。この指示が制御部１に入力されると、制御部１は、この指示に応じて原稿搬送部１０のフィードローラ１３を制御し、原稿トレイ１１に載置された原稿１２をプラテンガラス４上の読取位置１５に搬送する。次に制御部１は、読取位置１５に搬送された原稿１２を読取るために、例えば、図５に示したタイミングで読取制御信号Ｓ２と光源制御信号Ｓ１とを生成する。ここで、制御部１に入力された指示は原稿１２を白黒で読取る指示であるため、光源制御信号Ｓ１の周波数は１０［ｋＨｚ］となる。制御部１は、読取制御信号Ｓ２を画像読取部７へ出力し、光源制御信号Ｓ１を光源駆動部３へ出力する。
【００１４】
光源駆動部３は、光源制御信号Ｓ１が入力されると、駆動信号Ｓ３を生成し（時点ｔ１，ｔ２，ｔ３，ｔ４，ｔ７，ｔ８，ｔ９，ｔ１０）、出力する。この駆動信号Ｓ３が光源２に入力されると、光源２が点灯する。なお、光源制御信号Ｓ１の周波数が１０［ｋＨｚ］となっているため、光源２の照度は低となる。一方、画像読取部７は、入力される読取制御信号Ｓ２の立上がり（時点ｔ１，ｔ７）で、レンズ６により結像された像の読取りを開始し、そして、読取制御信号Ｓ２の立ち下がり（時点ｔ４，ｔ１０）で、読取りを終了する。
【００１５】
制御部１は、読取制御信号Ｓ２を立ち下げると、次に主走査を開始するまでの間、光源制御信号Ｓ１の生成を停止する（時点ｔ４〜ｔ６）。光源制御信号Ｓ１が入力されなくなると、光源駆動部３は駆動信号Ｓ３の生成を行わない（時点ｔ５，ｔ１１）。したがって、光源２は消灯する。
【００１６】
以上説明したように、本実施形態によれば、制御部１からの光源制御信号Ｓ１により、光源２の点灯／消灯、光源２の照度の変更、および駆動信号Ｓ３の生成のリスタートが行われる。これらは、全てこの光源制御信号Ｓ１に応じて行われるため、制御対象毎に信号および回路パターンを設ける必要がなく、基板サイズを抑えると共に製造コストを抑えることが可能となる。また、画像読取部７が、読取りを開始するタイミングは、光源駆動部３が駆動信号Ｓ３の生成を開始するタイミングと一致するため、光源２の照度が読取りのタイミングによってばらつくことがなくなる。
【００１７】
［Ｂ．第２実施形態］
次に、本発明に係わる画像読取装置の第２実施形態について説明する。本実施形態においては、光源２を制御するために光源駆動部３に入力される信号が第１実施形態と異なる。以下、本実施形態において第１実施形態と異なる点について説明する。
【００１８】
図６は、本実施形態に係わる画像読取装置のうち、画像の読取りに係わる要部のハードウェア構成を示すブロック図である。図６に示したように、制御部１は、点灯制御信号Ｓ４と光源制御信号Ｓ５とを光源駆動部３へ出力する。光源制御信号Ｓ５は、第１実施形態の光源制御信号Ｓ１と同様の信号である。光源制御信号Ｓ５が第１実施形態の光源制御信号Ｓ１と異なる点は、この信号が光源２の照度、光源２の点灯タイミングを制御するために用いられる点である。第１実施形態において、光源制御信号Ｓ１により行われていた光源２の点灯／消灯の制御は、本実施形態においては、点灯制御信号Ｓ４により行われる。点灯制御信号Ｓ４は、図７に示したようなパルスであり、画像読取部７の主走査方向に、読取り期間においてＨレベルとなる。
【００１９】
光源駆動部３は、点灯制御信号Ｓ４が入力されると、図７に示したように、光源２を点灯させるための駆動信号Ｓ３を生成する。なお、光源駆動部３は、点灯制御信号Ｓ４が入力されない場合には、図７に示したように、駆動信号Ｓ３の生成を行わない。したがって、この場合には、光源２は消灯する。光源駆動部３は、駆動信号Ｓ３を生成している間に、光源制御信号Ｓ５が入力されると、図７に示したように、駆動信号Ｓ３の生成をリスタートする。また、光源駆動部３は、光源制御信号Ｓ５の周波数が１０［ｋＨｚ］である場合には、光源２の照度が低となるように駆動信号Ｓ３を生成し、周波数が５［ｋＨｚ］である場合には、照度が高となるように駆動信号Ｓ３を生成する。
【００２０】
［第２実施形態の動作］
次に、本実施形態の動作について説明する。なお、以下の説明においては、第１実施形態と同様に、白黒で原稿１２を読取るように指示された場合を想定する。第１実施形態と同様に、原稿１２がプラテンガラス４上に搬送されると、次に制御部１は、読取位置１５に搬送された原稿１２を読取るために、例えば、図８に示したタイミングで、読取制御信号Ｓ２と点灯制御信号Ｓ４と光源制御信号Ｓ５とを生成する。ここで、制御部１に入力された指示は原稿１２を白黒で読取る指示であるため、光源制御信号Ｓ１の周波数は１０［ｋＨｚ］となる。制御部１は、読取制御信号Ｓ２を画像読取部７へ出力し、点灯制御信号Ｓ４と光源制御信号Ｓ５とを光源駆動部３へ出力する。
【００２１】
光源駆動部３は、まず、点灯制御信号Ｓ４が入力されると、駆動信号Ｓ３を生成し（時点ｔ２１，ｔ２６）、出力する。この駆動信号Ｓ３が光源２に入力されると、光源２が点灯する。なお、光源制御信号Ｓ１の周波数が１０［ｋＨｚ］となっているため、光源２の照度は低となる。次に光源駆動部３は、光源制御信号Ｓ５が入力されると、駆動信号Ｓ３の生成をリスタートする（時点ｔ２２，ｔ２３，ｔ２４，ｔ２７，ｔ２８，ｔ２９）。一方、画像読取部７は、入力される読取制御信号Ｓ２の立上がり（時点ｔ２２，ｔ２７）で、レンズ６により結像された像の読取りを開始し、そして、読取制御信号Ｓ２の立ち下がり（時点ｔ４，ｔ１０）で、読取りを終了する。
【００２２】
制御部１は、読取制御信号Ｓ２の立ち下げと、点灯制御信号Ｓ４の立ち下げを同期させ、次に主走査を開始するまでの間、光源制御信号Ｓ５の生成を停止する。光源駆動部３は、点灯制御信号Ｓ４が入力されなくなると、駆動信号Ｓ３の生成を行わない（時点ｔ２５，ｔ３０）。
【００２３】
以上説明したように、本実施形態においては、点灯制御信号Ｓ４を設けたことにより、光源２の点灯／消灯のタイミングが細かく制御される。また、光源制御信号Ｓ５により、光源２の照度、および駆動信号Ｓ３の生成のリスタートが行われる。
【００２４】
［Ｃ．変形例］
以上、本発明の実施形態について説明したが、本発明は上述した実施形態に限定されることなく、他の様々な形態で実施可能である。例えば、上述の実施形態を以下のように変形して本発明を実施してもよい。
【００２５】
上述した実施形態においては、本発明を、原稿を移動させて画像を読取るタイプの画像読取装置に適用した場合を例に説明を行ったが、フラットベッドタイプのイメージスキャナのように、原稿をプラテンガラス４上に固定し、光源２を移動させながら画像を読み取る画像読取装置に、本発明を適用するようにしてもよい。
【００２６】
光源制御信号Ｓ１の周波数が高となった場合に照度を高とし、光源制御信号Ｓ１の周波数が低となった場合に光源２の照度が低となるようにしてもよい。
【図面の簡単な説明】
【００２７】
【図１】本発明の実施形態に係る画像読取装置を示す図である。
【図２】同画像読取装置の要部構成を例示するブロック図である。
【図３】第１実施形態における光源制御信号Ｓ１と読取制御信号Ｓ２の関係を示す図である。
【図４】第１実施形態における光源制御信号Ｓ１と駆動信号Ｓ３の関係を示す図である。
【図５】第１実施形態の動作を説明するための図である。
【図６】本発明の第２実施形態に係わる光源駆動部３の構成を示すブロック図である。
【図７】第２実施形態における点灯制御信号Ｓ４と光源制御信号Ｓ５と駆動信号Ｓ３の関係を示す図である。
【図８】第２実施形態の動作を説明するための図である。
【符号の説明】
【００２８】
１・・・制御部、２・・・光源、３・・・光源駆動部、４・・・プラテンガラス、５Ａ，５Ｂ，５Ｃ・・・ミラー、６・・・レンズ、７・・・画像読取部、７Ａ・・・光電変換素子、１０・・・原稿搬送部、１１・・・原稿トレイ、１２・・・原稿、１３・・・フィードローラ、１４・・・搬送路、１５・・・読取位置、１６・・・原稿排出トレイ。
【図１】
2005176110.tif 000003
【図２】
2005176110.tif 000004
【図３】
2005176110.tif 000005
【図４】
2005176110.tif 000006
【図５】
2005176110.tif 000007
【図６】
2005176110.tif 000008
【図７】
2005176110.tif 000009
【図８】
2005176110.tif 000010